(57)【要約】装置、方法、コンピュータ・プログラム、およびユーザ・インターフェースであって、装置は、少なくとも１つのプロセッサと；コンピュータ・プログラム・コードを含む少なくとも１つのメモリと；を有し、少なくとも１つのメモリおよびコンピュータ・プログラム・コードは、装置が、地理的位置の視点ビューをディスプレイの第１の領域に第１の縮尺で表示すること；地理的位置に関連するＰＯＩを特定すること；および特定されたＰＯＩを、ディスプレイの第２の領域に第２の縮尺で表示することを、少なくとも１つのプロセッサとともに可能にするよう構成される。【選択図】図４Ｄ
2015503740.tif 000002
【特許請求の範囲】
【請求項１】
少なくとも１つのプロセッサと；
コンピュータ・プログラム・コードを含む少なくとも１つのメモリと；
を有する装置であって、
前記少なくとも１つのメモリおよび前記コンピュータ・プログラム・コードは、前記装置が、
第１の地理的位置から第２の地理的位置までのルートを取得すること；
前記ルートに沿って少なくとも１つのＰＯＩの画像表現を表示すること；および
前記少なくとも１つのＰＯＩの識別表示を表示すること
を、前記少なくとも１つのプロセッサとともに可能にするよう構成され、ここで、
前記少なくとも１つのＰＯＩの前記画像表現は、前記少なくとも１つのＰＯＩの前記画像表現に一致する前記ＰＯＩをユーザが認識することを可能にするよう構成される、
装置。
【請求項２】
前記ＰＯＩの前記識別表示は、前記ＰＯＩを強調表示することを含む、請求項１に記載の装置。
【請求項３】
前記少なくとも１つのメモリおよび前記コンピュータ・プログラム・コードは、前記第１の地理的位置から前記第２の地理的位置まで前記装置のユーザが前記ルートをたどることを可能にする指示を前記装置が提供することを、前記少なくとも１つのプロセッサとともに可能にするようさらに構成され、前記指示は、前記少なくとも１つのＰＯＩを参照する、先行するいずれかの請求項に記載の装置。
【請求項４】
前記少なくとも１つのメモリおよび前記コンピュータ・プログラム・コードは、前記装置が、前記少なくとも１つのＰＯＩの前記画像表現をディスプレイの第１の部分に表示し、かつ同時に、前記指示を前記ディスプレイの第２の部分に表示することを、前記少なくとも１つのプロセッサとともに可能にするようさらに構成される、請求項３に記載の装置。
【請求項５】
前記少なくとも１つのメモリおよび前記コンピュータ・プログラム・コードは、前記装置が、前記指示を示す矢印を表示することを、前記少なくとも１つのプロセッサとともに可能にするようさらに構成される、請求項３〜４のいずれかに記載の装置。
【請求項６】
前記少なくとも１つのメモリおよび前記コンピュータ・プログラム・コードは、前記装置が、少なくとも１つのＰＯＩに関連する少なくとも１つのアイコンを含む地図を表示し、前記アイコンの選択を検出するのに応答して、前記少なくとも１つのＰＯＩの前記画像表現を表示させることを、前記少なくとも１つのプロセッサとともに可能にするようさらに構成される、先行するいずれかの請求項に記載の装置。
【請求項７】
前記少なくとも１つのＰＯＩの前記画像表現は、地理的位置の全景の一部を含む、先行するいずれかの請求項に記載の装置。
【請求項８】
前記少なくとも１つのメモリおよび前記コンピュータ・プログラム・コードは、前記装置が、ユーザの視点を判断し、前記判断された前記ユーザの視点に一致するよう、前記少なくとも１つのＰＯＩの前記画像表現を表示することを、前記少なくとも１つのプロセッサとともに可能にするようさらに構成される、先行するいずれかの請求項に記載の装置。
【請求項９】
前記ユーザの前記視点は、前記ルートから判断される、請求項８に記載の装置。
【請求項１０】
前記少なくとも１つのメモリおよび前記コンピュータ・プログラム・コードは、前記装置が、少なくとも目標位置を特定するユーザ入力に応答して前記ルートを取得することを、前記少なくとも１つのプロセッサとともに可能にするようさらに構成される、先行するいずれかの請求項に記載の装置。
【請求項１１】
前記少なくとも１つのメモリおよび前記コンピュータ・プログラム・コードは、前記装置が、前記ルートを取得するのに応答して、前記ルートに沿ったＰＯＩに関する情報を取得することを、前記少なくとも１つのプロセッサとともに可能にするようさらに構成される、先行するいずれかの請求項に記載の装置。
【請求項１２】
前記少なくとも１つのメモリおよび前記コンピュータ・プログラム・コードは、前記装置が、前記ルートにおける指示のたびにＰＯＩの画像表現を表示することを、前記少なくとも１つのプロセッサとともに可能にするようさらに構成される、先行するいずれかの請求項に記載の装置。
【請求項１３】
前記少なくとも１つのメモリおよび前記コンピュータ・プログラム・コードは、前記装置が、前記ルートにおける方向転換のたびにＰＯＩの画像表現を表示することを、前記少なくとも１つのプロセッサとともに可能にするようさらに構成される、先行するいずれかの請求項に記載の装置。
【請求項１４】
第１の地理的位置から第２の地理的位置までのルートを取得することと；
前記ルートに沿って少なくとも１つのＰＯＩの画像表現を表示することと；
前記少なくとも１つのＰＯＩの識別表示を表示することと
を含む方法であって、ここで、
前記少なくとも１つのＰＯＩの前記画像表現は、前記少なくとも１つのＰＯＩの前記画像表現に一致する前記ＰＯＩをユーザが認識することを可能にするよう構成される、
方法。
【請求項１５】
前記ＰＯＩの前記識別表示は、前記ＰＯＩを強調表示することを含む、請求項１４に記載の方法。
【請求項１６】
前記方法は、前記第１の地理的位置から前記第２の地理的位置まで装置のユーザが前記ルートをたどることを可能にする指示を提供することをさらに含み、前記指示は、前記少なくとも１つのＰＯＩを参照する、請求項１４〜１５のいずれかに記載の方法。
【請求項１７】
少なくとも１つのＰＯＩの前記画像表現は、ディスプレイの第１の部分に表示され、同時に前記指示は、前記ディスプレイの第２の部分に表示される、請求項１６に記載の方法。
【請求項１８】
前記指示を示す矢印を表示することをさらに含む、請求項１６〜１７のいずれかに記載の方法。
【請求項１９】
少なくとも１つのＰＯＩに関連する少なくとも１つのアイコンを含む地図を表示し、前記アイコンの選択を検出するのに応答して、前記少なくとも１つのＰＯＩの前記画像表現を表示させることをさらに含む、請求項１４〜１８のいずれかに記載の方法。
【請求項２０】
少なくとも１つのＰＯＩの前記画像表現は、地理的位置の全景の一部を含む、請求項１４〜１９のいずれかに記載の方法。
【請求項２１】
ユーザの視点を判断し、前記判断された前記ユーザの視点に一致するよう、前記少なくとも１つのＰＯＩの前記画像表現を表示することをさらに含む、請求項１４〜２０のいずれかに記載の方法。
【請求項２２】
前記ユーザの前記視点は、前記ルートから判断される、請求項２１に記載の方法。
【請求項２３】
前記ルートは、少なくとも目標位置を特定するユーザ入力に応答して取得される、請求項１４〜２２のいずれかに記載の方法。
【請求項２４】
前記ルートを取得するのに応答して、前記ルートに沿ったＰＯＩに関する情報が取得される、請求項１４〜２３のいずれかに記載の方法。
【請求項２５】
ＰＯＩの画像表現が、前記ルートにおける指示のたびに表示される、請求項１４〜２４のいずれかに記載の方法。
【請求項２６】
ＰＯＩの画像表現が、前記ルートにおける方向転換のたびに表示される、請求項１４〜２５のいずれかに記載の方法。
【請求項２７】
コンピュータ・プログラム命令を含むコンピュータ・プログラムであって、前記コンピュータ・プログラム命令は、少なくとも１つのプロセッサによって実行されると、装置に、
第１の地理的位置から第２の地理的位置までのルートを取得することと；
前記ルートに沿って少なくとも１つのＰＯＩの画像表現を表示することと；
前記少なくとも１つのＰＯＩの識別表示を表示することと
を少なくとも実行させ、ここで、
前記少なくとも１つのＰＯＩの前記画像表現は、前記少なくとも１つのＰＯＩの前記画像表現に一致する前記ＰＯＩをユーザが認識することを可能にするよう構成される、
コンピュータ・プログラム。
【請求項２８】
請求項１４〜２６のいずれかに記載の前記方法をコンピュータに実行させるためのプログラム命令を含む、コンピュータ・プログラム。
【請求項２９】
請求項２７〜２８のいずれかに記載の前記コンピュータ・プログラムを具現化する物理的実体。
【請求項３０】
請求項２７〜２８のいずれかに記載の前記コンピュータ・プログラムを搬送する電磁搬送信号。
【請求項３１】
少なくとも１つのプロセッサと；
コンピュータ・プログラム・コードを含む少なくとも１つのメモリと；
を有する装置であって、
前記少なくとも１つのメモリおよび前記コンピュータ・プログラム・コードは、前記装置が、
地理的位置の視点ビューをディスプレイの第１の領域に第１の縮尺で表示すること；
前記地理的位置に関連するＰＯＩを特定すること；および
前記特定されたＰＯＩを、前記ディスプレイの第２の領域に第２の縮尺で表示すること
を、前記少なくとも１つのプロセッサとともに可能にするよう構成される、
装置。
【請求項３２】
ＰＯＩを特定することは、複数の利用可能なＰＯＩからＰＯＩを選択することを含む、請求項３１に記載の装置。
【請求項３３】
前記ＰＯＩを特定することは、前記装置のユーザに関連のあるＰＯＩを判断するために、重み付けアルゴリズムを使用することを含む、請求項３１〜３２のいずれかに記載の装置。
【請求項３４】
前記重み付けアルゴリズムは、前記装置のユーザに関連のあるＰＯＩを判断するために、前記装置の前記ユーザによる以前の活動を使用する、請求項３３に記載の装置。
【請求項３５】
前記ＰＯＩは、自動的に特定される、請求項３１〜３４のいずれかに記載の装置。
【請求項３６】
前記ＰＯＩは、少なくとも１つの英数字を含む、請求項３１〜３５のいずれかに記載の装置。
【請求項３７】
前記第２の縮尺は、前記第１の縮尺よりも大きい、請求項３１〜３６のいずれかに記載の装置。
【請求項３８】
前記特定されたＰＯＩは、ディスプレイの第１の領域では第１の縮尺で、さらに前記ディスプレイの第２の領域では第２の縮尺で、地理的位置の視点ビュー内に表示される、請求項３１〜３７のいずれかに記載の装置。
【請求項３９】
前記特定されたＰＯＩの位置であって、前記視点ビューに対する相対的な前記位置を示すよう、インジケータが表示される、請求項３１〜３８のいずれかに記載の装置。
【請求項４０】
地理的位置の視点ビューをディスプレイの第１の領域に第１の縮尺で表示することと；
前記地理的位置に関連するＰＯＩを特定することと；
前記特定されたＰＯＩを、前記ディスプレイの第２の領域に第２の縮尺で表示することと
を含む方法。
【請求項４１】
ＰＯＩを特定することは、複数の利用可能なＰＯＩからＰＯＩを選択することを含む、請求項４０に記載の方法。
【請求項４２】
前記ＰＯＩを特定することは、前記装置のユーザに関連のあるＰＯＩを判断するために、重み付けアルゴリズムを使用することを含む、請求項４０〜４１のいずれかに記載の方法。
【請求項４３】
前記重み付けアルゴリズムは、前記装置のユーザに関連のあるＰＯＩを判断するために、前記装置の前記ユーザによる以前の活動を使用する、請求項４２に記載の方法。
【請求項４４】
前記ＰＯＩは、自動的に特定される、請求項４０〜４３のいずれかに記載の方法。
【請求項４５】
前記ＰＯＩは、少なくとも１つの英数字を含む、請求項４０〜４４のいずれかに記載の方法。
【請求項４６】
前記第２の縮尺は、前記第１の縮尺よりも大きい、請求項４０〜４５のいずれかに記載の方法。
【請求項４７】
前記特定されたＰＯＩは、ディスプレイの第１の領域では第１の縮尺で、さらに前記ディスプレイの第２の領域では第２の縮尺で、地理的位置の視点ビュー内に表示される、請求項４０〜４６のいずれかに記載の方法。
【請求項４８】
前記特定されたＰＯＩの位置であって、前記視点ビューに対する相対的な前記位置を示すよう、インジケータが表示される、請求項４０〜４７のいずれかに記載の方法。
【請求項４９】
コンピュータ・プログラム命令を含むコンピュータ・プログラムであって、前記コンピュータ・プログラム命令は、少なくとも１つのプロセッサによって実行されると、装置に、
地理的位置の視点ビューをディスプレイの第１の領域に第１の縮尺で表示することと；
前記地理的位置に関連するＰＯＩを特定することと；
前記特定されたＰＯＩを、前記ディスプレイの第２の領域に第２の縮尺で表示することと
を少なくとも実行させる、コンピュータ・プログラム。
【請求項５０】
請求項４０〜４８のいずれかに記載の前記方法をコンピュータに実行させるためのプログラム命令を含む、コンピュータ・プログラム。
【請求項５１】
請求項４９〜５０のいずれかに記載の前記コンピュータ・プログラムを具現化する物理的実体。
【請求項５２】
請求項４９〜５０のいずれかに記載の前記コンピュータ・プログラムを搬送する電磁搬送信号。
【発明の詳細な説明】
【技術分野】
【０００１】
本開示の実施形態は、ＰＯＩ（Ｐｏｉｎｔ  Ｏｆ  Ｉｎｔｅｒｅｓｔ；関心の対象となる場所や点）を表示する装置、方法、およびコンピュータ・プログラムに関する。特に、本開示の実施形態は、第１の地理的位置と第２の地理的位置との間のルートに沿ってＰＯＩを表示する装置、方法、およびコンピュータ・プログラムに関する。
【背景】
【０００２】
全地球測位システム（ＧＰＳ：ｇｌｏｂａｌ  ｐｏｓｉｔｉｏｎｉｎｇ  ｓｙｓｔｅｍ）デバイスまたはナビゲーション・デバイスなどの装置は周知である。そのような装置は、第１の地理的位置から第２の地理的位置までユーザがルートをたどることを可能にする、道順案内を提供する。そのような指示を、運転または歩行中にユーザが容易に従うことができる明確な形で提供することは、有用である。
【摘要】
【０００３】
様々な、ただし必ずしもすべてではない、本開示の実施形態によれば、少なくとも１つのプロセッサと；コンピュータ・プログラム・コードを含む少なくとも１つのメモリと；を有する装置が提供され、少なくとも１つのメモリおよびコンピュータ・プログラム・コードは、装置が、第１の地理的位置から第２の地理的位置までのルートを取得すること；ルートに沿って少なくとも１つのＰＯＩの画像表現（ｇｒａｐｈｉｃａｌ  ｒｅｐｒｅｓｅｎｔａｔｉｏｎ）を表示すること；および少なくとも１つのＰＯＩの識別表示を表示することを、少なくとも１つのプロセッサとともに可能にするよう構成され、ここで、少なくとも１つのＰＯＩの画像表現は、少なくとも１つのＰＯＩの画像表現に一致するＰＯＩをユーザが認識することを可能にするよう構成される。
【０００４】
いくつかの実施形態では、ＰＯＩの識別表示は、ＰＯＩを強調表示することを含んでもよい。
【０００５】
いくつかの実施形態では、少なくとも１つのメモリおよびコンピュータ・プログラム・コードは、第１の地理的位置から第２の地理的位置まで装置のユーザがルートをたどることを可能にする指示を装置が提供することを、少なくとも１つのプロセッサとともに可能にするようさらに構成されてもよく、指示は、少なくとも１つのＰＯＩを参照する。
【０００６】
いくつかの実施形態では、少なくとも１つのメモリおよびコンピュータ・プログラム・コードは、装置が、少なくとも１つのＰＯＩの画像表現をディスプレイの第１の部分に表示し、かつ同時に、指示をディスプレイの第２の部分に表示することを、少なくとも１つのプロセッサとともに可能にするようさらに構成されてもよい。
【０００７】
いくつかの実施形態では、少なくとも１つのメモリおよびコンピュータ・プログラム・コードは、装置が、指示を示す矢印を表示することを、少なくとも１つのプロセッサとともに可能にするようさらに構成されてもよい。
【０００８】
いくつかの実施形態では、少なくとも１つのメモリおよびコンピュータ・プログラム・コードは、装置が、少なくとも１つのＰＯＩに関連する少なくとも１つのアイコンを含む地図を表示し、アイコンの選択を検出するのに応答して、少なくとも１つのＰＯＩの画像表現を表示させることを、少なくとも１つのプロセッサとともに可能にするようさらに構成されてもよい。
【０００９】
いくつかの実施形態では、少なくとも１つのＰＯＩの画像表現は、地理的位置の全景（ｐａｎｏｒａｍｉｃ  ｖｉｅｗ）の一部を含んでもよい。
【００１０】
いくつかの実施形態では、少なくとも１つのメモリおよびコンピュータ・プログラム・コードは、装置が、ユーザの視点を判断し、判断されたユーザの視点に一致するよう、少なくとも１つのＰＯＩの画像表現を表示することを、少なくとも１つのプロセッサとともに可能にするようさらに構成されてもよい。
【００１１】
いくつかの実施形態では、ユーザの視点は、ルートから判断されてもよい。
【００１２】
いくつかの実施形態では、少なくとも１つのメモリおよびコンピュータ・プログラム・コードは、装置が、少なくとも目標位置（ｅｎｄ  ｌｏｃａｔｉｏｎ）を特定するユーザ入力に応答してルートを取得することを、少なくとも１つのプロセッサとともに可能にするようさらに構成されてもよい。
【００１３】
いくつかの実施形態では、少なくとも１つのメモリおよびコンピュータ・プログラム・コードは、装置が、ルートを取得するのに応答して、ルートに沿ったＰＯＩに関する情報を取得することを、少なくとも１つのプロセッサとともに可能にするようさらに構成されてもよい。
【００１４】
いくつかの実施形態では、少なくとも１つのメモリおよびコンピュータ・プログラム・コードは、装置が、ルートにおける指示のたびにＰＯＩの画像表現を表示することを、少なくとも１つのプロセッサとともに可能にするようさらに構成されてもよい。
【００１５】
いくつかの実施形態では、少なくとも１つのメモリおよびコンピュータ・プログラム・コードは、装置が、ルートにおける方向転換のたびにＰＯＩの画像表現を表示することを、少なくとも１つのプロセッサとともに可能にするようさらに構成されてもよい。
【００１６】
様々な、ただし必ずしもすべてではない、本開示の実施形態によれば、第１の地理的位置から第２の地理的位置までのルートを取得することと；ルートに沿って少なくとも１つのＰＯＩの画像表現を表示することと；少なくとも１つのＰＯＩの識別表示を表示することとを含む方法が提供され、少なくとも１つのＰＯＩの画像表現は、少なくとも１つのＰＯＩの画像表現に一致するＰＯＩをユーザが認識することを可能にするよう構成される。
【００１７】
いくつかの実施形態では、ＰＯＩの識別表示は、ＰＯＩを強調表示することを含んでもよい。
【００１８】
いくつかの実施形態では、方法はさらに、第１の地理的位置から第２の地理的位置まで、装置のユーザがルートをたどることを可能にする指示を提供することを含んでもよく、指示は、少なくとも１つのＰＯＩを参照する。
【００１９】
いくつかの実施形態では、少なくとも１つのＰＯＩの画像表現は、ディスプレイの第１の部分に表示されてもよく、同時に指示は、ディスプレイの第２の部分に表示されてもよい。
【００２０】
いくつかの実施形態では、本方法はさらに、指示を示す矢印を表示することを含んでもよい。
【００２１】
いくつかの実施形態では、本方法はさらに、少なくとも１つのＰＯＩに関連する少なくとも１つのアイコンを含む地図を表示し、アイコンの選択を検出するのに応答して、少なくとも１つのＰＯＩの画像表現を表示させることを含んでもよい。
【００２２】
いくつかの実施形態では、少なくとも１つのＰＯＩの画像表現は、地理的位置の全景の一部を含んでもよい。
【００２３】
いくつかの実施形態では、本方法はさらに、ユーザの視点を判断し、判断されたユーザの視点に一致するよう、少なくとも１つのＰＯＩの画像表現を表示することを含んでもよい。
【００２４】
いくつかの実施形態では、ユーザの視点は、ルートから判断されてもよい。
【００２５】
いくつかの実施形態では、ルートは、少なくとも目標位置を特定するユーザ入力に応答して取得されてもよい。
【００２６】
いくつかの実施形態では、ルートを取得するのに応答して、ルートに沿ったＰＯＩに関する情報が取得されてもよい。
【００２７】
いくつかの実施形態では、ルートにおける指示のたびにＰＯＩの画像表現が表示されてもよい。
【００２８】
いくつかの実施形態では、ルートにおける方向転換のたびにＰＯＩの画像表現が表示されてもよい。
【００２９】
様々な、ただし必ずしもすべてではない、本開示の実施形態によれば、コンピュータ・プログラム命令を含むコンピュータ・プログラムが提供されてもよく、コンピュータ・プログラム命令は、少なくとも１つのプロセッサによって実行されると、装置に、第１の地理的位置から第２の地理的位置までのルートを取得することと；ルートに沿って少なくとも１つのＰＯＩの画像表現を表示することと；少なくとも１つのＰＯＩの識別表示を表示することとを少なくとも実行させ、ここで、少なくとも１つのＰＯＩの画像表現は、少なくとも１つのＰＯＩの画像表現に一致するＰＯＩをユーザが認識することを可能にするよう構成される。
【００３０】
いくつかの実施形態では、上述した方法をコンピュータに実行させるためのプログラム命令を含むコンピュータ・プログラムが提供されてもよい。
【００３１】
いくつかの実施形態では、上述したコンピュータ・プログラムを具現化する物理的実体が提供されてもよい。
【００３２】
いくつかの実施形態では、上述したコンピュータ・プログラムを搬送する電磁搬送信号が提供されてもよい。
【００３３】
様々な、ただし必ずしもすべてではない、本開示の実施形態によれば、装置が提供されてもよく、装置は、少なくとも１つのプロセッサと；コンピュータ・プログラム・コードを含む少なくとも１つのメモリと；を有し、少なくとも１つのメモリおよびコンピュータ・プログラム・コードは、装置が、地理的位置の視点ビュー（ｐｅｒｓｐｅｃｔｉｖｅ  ｖｉｅｗ）を、ディスプレイの第１の領域に第１の縮尺で表示すること；地理的位置に関連するＰＯＩを特定すること；および特定されたＰＯＩを、ディスプレイの第２の領域に第２の縮尺で表示することを、少なくとも１つのプロセッサとともに可能にするよう構成される。
【００３４】
いくつかの実施形態では、ＰＯＩを特定することは、複数の利用可能なＰＯＩから、ＰＯＩを選択することを含んでもよい。
【００３５】
いくつかの実施形態では、ＰＯＩを特定することは、装置のユーザに関連のあるＰＯＩを判断するために、重み付けアルゴリズムを使用することを含んでもよい。重み付けアルゴリズムは、装置のユーザに関連のあるＰＯＩを判断するために、装置のユーザによる以前の活動を使用してもよい。
【００３６】
いくつかの実施形態では、ＰＯＩは、自動的に特定されてもよい。
【００３７】
いくつかの実施形態では、ＰＯＩは、少なくとも１つの英数字を含んでもよい。
【００３８】
いくつかの実施形態では、第２の縮尺は、第１の縮尺よりも大きくてもよい。
【００３９】
いくつかの実施形態では、特定されたＰＯＩは、ディスプレイの第１の領域では第１の縮尺で、さらにディスプレイの第２の領域では第２の縮尺で、地理的位置の視点ビュー内に表示されてもよい。
【００４０】
いくつかの実施形態では、特定されたＰＯＩの位置であって、視点ビューに対する相対的な位置を示すよう、インジケータが表示されてもよい。
【００４１】
様々な、ただし必ずしもすべてではない、本開示の実施形態によれば、地理的位置の視点ビューをディスプレイの第１の領域に第１の縮尺で表示することと；地理的位置に関連するＰＯＩを特定することと；特定されたＰＯＩを、ディスプレイの第２の領域に第２の縮尺で表示することとを含む方法が提供されてもよい。
【００４２】
いくつかの実施形態では、ＰＯＩを特定することは、複数の利用可能なＰＯＩから、ＰＯＩを選択することを含んでもよい。
【００４３】
いくつかの実施形態では、ＰＯＩを特定することは、装置のユーザに関連のあるＰＯＩを判断するために、重み付けアルゴリズムを使用することを含んでもよい。重み付けアルゴリズムは、装置のユーザに関連のあるＰＯＩを判断するために、装置のユーザによる以前の活動を使用してもよい。
【００４４】
いくつかの実施形態では、ＰＯＩは、自動的に特定されてもよい。
【００４５】
いくつかの実施形態では、ＰＯＩは、少なくとも１つの英数字を含んでもよい。
【００４６】
いくつかの実施形態では、第２の縮尺は、第１の縮尺よりも大きくてもよい。
【００４７】
いくつかの実施形態では、特定されたＰＯＩは、ディスプレイの第１の領域では第１の縮尺で、さらにディスプレイの第２の領域では第２の縮尺で、地理的位置の視点ビュー内に表示されてもよい。
【００４８】
いくつかの実施形態では、特定されたＰＯＩの位置であって、視点ビューに対する相対的な位置を示すよう、インジケータが表示されてもよい。
【００４９】
様々な、ただし必ずしもすべてではない、本開示の実施形態によれば、コンピュータ・プログラム命令を含むコンピュータ・プログラムが提供されてもよく、コンピュータ・プログラム命令は、少なくとも１つのプロセッサによって実行されると、装置に、地理的位置の視点ビューをディスプレイの第１の領域に第１の縮尺で表示することと；地理的位置に関連するＰＯＩを特定することと；特定されたＰＯＩを、ディスプレイの第２の領域に第２の縮尺で表示することとを少なくとも実行させる。
【００５０】
いくつかの実施形態では、上述した方法のいずれかをコンピュータに実行させるためのプログラム命令を含むコンピュータ・プログラムが提供されてもよい。
【００５１】
いくつかの実施形態では、上述したコンピュータ・プログラムのいずれかを具現化する物理的実体が提供されてもよい。
【００５２】
いくつかの実施形態では、上述したコンピュータ・プログラムのいずれかを搬送する電磁搬送信号が提供されてもよい。
【００５３】
装置は、ナビゲーションを支援するためのものであってもよい。装置はさらに、無線通信を可能にしてもよい。
【００５４】
本開示の実施形態の様々な例がより深く理解されるよう、以下、単なる例として添付の図面を参照する。
【図面の簡単な説明】
【００５５】
【図１】例示実施形態による装置を示す。
【図２】別の例示実施形態による装置を示す。
【図３Ａ】例示実施形態による方法を示す。
【図３Ｂ】例示実施形態による方法を示す。
【図４Ａ】例示実施形態によるグラフィカル・ユーザ・インターフェースを示す。
【図４Ｂ】例示実施形態によるグラフィカル・ユーザ・インターフェースを示す。
【図４Ｃ】例示実施形態によるグラフィカル・ユーザ・インターフェースを示す。
【図４Ｄ】例示実施形態によるグラフィカル・ユーザ・インターフェースを示す。
【図５】例示実施形態による方法を示す。
【図６】例示実施形態によるグラフィカル・ユーザ・インターフェースを示す。
【詳細説明】
【００５６】
図面は、少なくとも１つのプロセッサ３と；コンピュータ・プログラム・コード９を含む少なくとも１つのメモリ５とを有する装置１を示し；少なくとも１つのメモリ５およびコンピュータ・プログラム・コード９は、装置１が、第１の地理的位置から第２の地理的位置までのルート５５を取得すること；ルート５５に沿って少なくとも１つのＰＯＩの画像表現６５を表示すること；および少なくとも１つのＰＯＩの識別表示を表示することを、少なくとも１つのプロセッサ３とともに可能にするよう構成されており、ここで、少なくとも１つのＰＯＩの画像表現６５は、少なくとも１つのＰＯＩの画像表現６５に一致するＰＯＩをユーザが認識することを可能にするよう構成される。
【００５７】
図１は、本開示の例示実施形態による装置１を概略的に示す。装置１は、電子装置であってもよい。装置１は、例えば、移動式携帯電話、全地球測位システム（ＧＰＳ）デバイスもしくはナビゲーション・デバイス、タブレット・コンピュータ、パーソナル・コンピュータ、カメラ、ゲーム用デバイス、携帯情報端末、パーソナル・ミュージック・プレーヤ、またはその他、ユーザがナビゲーション・アプリケーションにアクセスすることを可能にするよう構成され得る任意の装置とされ得る。装置１は、例えばユーザの手、ハンドバッグ、または衣服のポケットの中で運ぶことができるハンドヘルド装置１であってもよい。
【００５８】
図１に示されている装置１は、ユーザ・インターフェース１３、コントローラ４、および送受信機１９を有する。示されている実施形態では、コントローラ４は、少なくとも１つのプロセッサ３および少なくとも１つのメモリ５を有し、ユーザ・インターフェース１３は、ディスプレイ１５およびユーザ入力デバイス１７を有する。示されている実施形態では、送受信機１９は、単一の実体として示されている。当業者であれば当然のことながら、送受信機１９は、１つ以上の別々の受信機および送信機を有してもよい。
【００５９】
図１には、以下の説明で参照される特徴のみが示されている。なお、当然のことながら、装置１は、示されていないさらなる特徴を有してもよい。例えば、いくつかの実施形態では、ユーザ・インターフェース１３は、スピーカ、またはその他、オーディオ出力を装置１のユーザに提供する手段など、他のユーザ出力デバイスを有してもよい。
【００６０】
コントローラ４は、装置１を制御する手段を提供する。コントローラ４は、例えば、１つ以上の汎用または専用プロセッサ３によって実行されるようコンピュータ可読記憶媒体２３（例えばディスク、メモリなど）上に記憶され得る実行可能なコンピュータ・プログラム命令１１を上記プロセッサ３において使用することなどによって、ハードウェア機能性を実現する命令を使用して実装されてもよい。いくつかの実施形態では、コンピュータ可読記憶媒体２３は、装置１の一部であってもよい。いくつかの実施形態では、コンピュータ可読記憶媒体２３は、装置１とは別の実体であってもよい。そのような実施形態では、コンピュータ可読記憶媒体２３は、取り外し可能なように装置１に接続されてもよい。
【００６１】
コントローラ４は、異なる複数の機能を実行するよう、装置１を制御するように構成されてもよい。例えば、コントローラ４は、装置１がナビゲーション・アプリケーションまたは測位アプリケーションにアクセスすることを可能にするよう構成されてもよい。これは、装置１が、装置１の位置を測定し、測定された位置に関連して道順案内および情報を提供することを可能にしてもよい。
【００６２】
コントローラ４はさらに、装置１が、第１の地理的位置から第２の地理的位置までのルート５５を取得すること；ルート５５に沿って少なくとも１つのＰＯＩの画像表現６５を表示すること；および少なくとも１つのＰＯＩの識別表示を表示することを可能にするよう構成されてもよく、ここで、少なくとも１つのＰＯＩの画像表現６５は、少なくとも１つのＰＯＩの画像表現６５に一致するＰＯＩをユーザが認識することを可能にするよう構成される。
【００６３】
少なくとも１つのプロセッサ３は、ユーザ・インターフェース１３から入力コマンドを受領し、さらにユーザ・インターフェース１３に出力コマンドを提供するよう構成されてもよい。少なくとも１つのプロセッサ３はさらに、少なくとも１つのメモリ５への書き込みおよびそこからの読み取りを行うよう構成される。ユーザ・インターフェース１３の出力は、入力としてコントローラ４に提供される。
【００６４】
ディスプレイ１５は、装置１のユーザに対する情報の表示を可能にする任意の手段を有してもよい。表示される情報は、図４Ａ〜図４Ｄに示されているものなどの、グラフィカル・ユーザ・インターフェース４１を含んでもよい。ディスプレイ１５はさらに、地図などの情報、または写真などのイメージを表示するよう構成されてもよい。
【００６５】
ディスプレイ１５上に表示される情報は、１つ以上のメモリ５に記憶されていてもよく、かつ／または送受信機１９により受信されてもよい。
【００６６】
ユーザ入力デバイス１７は、装置１の制御に使用され得る情報を装置１のユーザが入力することを可能にする手段を提供する。ユーザ入力デバイス１７はさらに、装置１の１つ以上のメモリ５に記憶され得る情報をユーザが入力することを可能にしてもよい。ユーザ入力デバイス１７は、ユーザが装置１に情報を入力することを可能にする任意の手段を有してもよい。例えば、ユーザ入力デバイス１７は、タッチセンシティブ・ディスプレイ、キーパッド、ホバー入力デバイス、またはいくつかの異なる種類のユーザ入力デバイスの組み合わせを有してもよい。
【００６７】
図１に示されている装置１は、送受信機１９も有する。送受信機１９は、装置１が、別の装置または通信ネットワークからデータを受信することを可能にする任意の手段を有し得る。本開示のいくつかの実施形態では、送受信機１９は、無線通信を可能にするよう構成されてもよい。例えば、送受信機１９は、装置１がセルラ通信ネットワークにおいて動作することを可能にするよう構成されてもよい。
【００６８】
送受信機１９は、装置１が、例えばＧＰＳまたは拡張ＧＰＳなどの衛星航法システムなど、測位システムと通信することを可能にするよう構成されてもよい。これは、装置１の位置を測定できるようにして、装置１が、測定された装置１の現在位置に基づいて道順案内その他の情報をユーザに提供できるようにしてもよい。装置１は、装置１の場所の変化が検出されるのに応答して、ディスプレイ１５上に表示される情報を更新するよう構成されてもよい。
【００６９】
少なくとも１つのメモリ５は、少なくとも１つのプロセッサ３にロードされると装置１の動作を制御するコンピュータ・プログラム命令１１を含む、コンピュータ・プログラム・コード９を記憶する。コンピュータ・プログラム命令１１は、装置１が図３Ａおよび図３Ｂに示されている方法を実行することを可能にする論理およびルーチンを提供する。少なくとも１つのプロセッサ３は、少なくとも１つのメモリ５を読み取ることによって、コンピュータ・プログラム９をロードし、実行することができる。
【００７０】
コンピュータ・プログラム命令１１は、装置１を制御するよう構成されたコンピュータ可読プログラム手段を提供してもよい。プログラム命令１１は、コントローラ４にロードされると、第１の地理的位置から第２の地理的位置までのルート５５を取得し；ルート５５に沿って少なくとも１つのＰＯＩの画像表現６５を表示し；少なくとも１つのＰＯＩの識別表示を表示する手段を提供してもよく、ここで、少なくとも１つのＰＯＩの画像表現６５は、少なくとも１つのＰＯＩの画像表現６５に一致するＰＯＩをユーザが認識することを可能にするよう構成される。
【００７１】
コンピュータ・プログラム・コード９は、任意の適切な配布メカニズム２１を介して装置１に到達し得る。配布メカニズム２１は、例えば、コンピュータ可読記憶媒体、コンピュータ・プログラム製品２３、メモリ・デバイス、ＣＤ−ＲＯＭまたはＤＶＤなどの記録媒体、コンピュータ・プログラム・コード９を有形に具現化する製造品、またはその他任意の適切なメカニズムとされ得る。配布メカニズムは、コンピュータ・プログラム・コード９を確実に伝達するよう構成された信号としてもよい。装置１は、コンピュータ・プログラム・コード９をコンピュータ・データ信号として伝搬または送信してもよい。
【００７２】
メモリ５は、単一のコンポーネントとして示されているが、１つ以上の別々のコンポーネントとして実装されてもよく、その一部または全部が、内蔵型／取り外し可能であってもよく、さらに／または永続／半永続／動的／キャッシュ化（ｃａｃｈｅｄ）記憶装置を提供してもよい。
【００７３】
「コンピュータ可読記憶媒体」、「コンピュータ・プログラム製品」、「有形に具現化されたコンピュータ・プログラム」など、または「コントローラ」、「コンピュータ」、「プロセッサ」などへの言及は、単一／マルチプロセッサ・アーキテクチャおよび逐次（例えばノイマン型）／並列アーキテクチャなどの種々のアーキテクチャを有するコンピュータのみでなく、フィールド・プログラマブル・ゲートアレイ（ＦＰＧＡ：ｆｉｅｌｄ−ｐｒｏｇｒａｍｍａｂｌｅ  ｇａｔｅ  ａｒｒａｙ）、特定用途向け集積回路（ＡＳＩＣ：ａｐｐｌｉｃａｔｉｏｎ  ｓｐｅｃｉｆｉｃ  ｉｎｔｅｇｒａｔｉｏｎ  ｃｉｒｃｕｉｔ）、信号処理デバイス、およびその他のデバイスなどの特殊回路も含むと考えられるべきである。コンピュータ・プログラム、命令、コードなどへの言及は、プログラム可能プロセッサのソフトウェア、または例えば、プロセッサに対する命令であれ、固定機能デバイス、ゲートアレイ、もしくはプログラム可能論理デバイスなどの構成設定であれ、ハードウェア・デバイスのプログラム可能コンテンツなどのファームウェアを含むと理解されるべきである。
【００７４】
図２は、本開示の別の実施形態による装置１'を示す。図２に示されている装置１'は、チップまたはチップセットであってもよい。装置１'は、図１に関して上述した少なくとも１つのプロセッサ３および少なくとも１つのメモリ５を有する。
【００７５】
図３Ａは、本開示の実施形態による方法を概略的に示すブロック図である。本方法は、図１に示された装置１または図２に示された装置１'などの装置によって実装されてもよい。いくつかの実施形態では、図４Ａ〜図４Ｄに示されるグラフィカル・ユーザ・インターフェースが使用されてもよい。
【００７６】
ブロック３１にて、第１の地理的位置から第２の地理的位置までのルートが取得される。装置１は、第１の地理的位置から第２の地理的位置までの決定されたルート５５を示す情報を取得してもよい。地理的位置は、任意の実世界位置であってもよい。ルート５５は、装置１のユーザが、２つの地理的位置間を移動し得る経路を含んでもよい。
【００７７】
いくつかの実施形態では、第１の地理的位置は、ルート５５が取得されるときの装置１の位置に対応してもよい。装置１の位置は、ＧＰＳ、拡張ＧＰＳ、またはその他任意の適切な測位システムなどのナビゲーション・システムまたは測位システムを使用して測定されてもよい。他の実施形態では、ユーザは、ユーザ入力デバイス１７を使用して情報を入力して、第１の地理的位置を特定できてもよい。例えば、ユーザは、ユーザ入力デバイス１７を使用して、住所、郵便番号もしくはジップコード、またはランドマークの名前、または地理的位置を特定するために使用され得るその他任意の情報を入力もしくは選択してもよい。
【００７８】
第２の地理的位置は、ユーザ入力デバイス１７を使用してユーザによって特定された位置に対応してもよい。例えば、第２の地理的位置は、ユーザが目指す行き先に対応してもよい。ユーザは、ユーザ入力デバイス１７を使用して、住所、郵便番号もしくはジップコード、またはランドマークの名前、または第２の地理的位置を特定するために使用され得るその他任意の情報を入力もしくは選択してもよい。
【００７９】
いくつかの実施形態では、装置１は、コントローラ４を使用してルート５５を決定することによって、ルート５５を取得してもよい。ルート５５は、ＧＰＳなどのナビゲーション・システムまたはその他適切な測位システムを使用して決定されてもよい。本開示のいくつかの実施形態では、装置１は、ＧＰＳなどのナビゲーション・システムから位置情報を取得して、これをルート５５の決定に使用するよう構成されてもよい。例えば、ＧＰＳシステムは、装置１の現在位置を測定するために使用されてもよい。
【００８０】
本開示の他の実施形態では、ルート５５は、遠隔サーバまたはその他の装置によって決定され、続いて装置１に提供されてもよい。そのような実施形態では、第１の地理的位置および第２の地理的位置を示す情報が、送受信機１９を介して遠隔サーバまたは装置に送信されてもよく、２つの地理的位置間の１つ以上のルート５５を示す情報が、応答として受信されてもよい。
【００８１】
ルート５５は、装置１のユーザによって指定されるプリファレンスに従って決定されてもよい。例えば、ユーザは、徒歩か車か、または公共の交通機関もしくはその他任意の交通手段を使用するのか、自身の交通手段を指定してもよい。ユーザはさらに、他のプリファレンスを指定してもよく、例えば、ルート上の中間地点を指定してもよいし、または車の場合は有料道路、もしくは徒歩の場合は階段など、特定の特徴を回避することをリクエストしてもよい。
【００８２】
本開示のいくつかの実施形態では、決定されるルート５５は、時刻などの他の基準に依存してもよい。例えば、特定の道路が特定の時刻に混雑または渋滞すると知られていれば、その道路を回避するようルート５５が選択されてもよい。これは、車を使うことがある装置１のユーザに有用であると思われる。徒歩のことがある装置１のユーザの場合、夜間は街灯のない歩道を回避するようルート５５が選択されてもよい。
【００８３】
したがって、本開示の実施形態では、ユーザが指定したものであってもよいプリファレンス、および時刻などの他の基準に依存して、同じ２つの地理的位置間でも、装置１のそれぞれのユーザに異なるルートが提供されてもよい。
【００８４】
ルート５５は、ユーザ入力に応答して取得されてもよい。例えば、ユーザは、ルート５５の決定を望むことを、ユーザ入力デバイス１７を使用して示してもよい。本開示のいくつかの実施形態では、ルート５５は、第２の地理的位置の入力または選択に応答して取得されてもよい。
【００８５】
図３Ａのブロック３３にて、装置１のコントローラ４は、ルート５５に沿って少なくとも１つのＰＯＩの画像表現６５を表示するよう、ディスプレイ１５を制御する。本開示のいくつかの実施形態では、少なくとも１つのＰＯＩの画像表現６５は、画像表現を選択するユーザ入力に応答して表示されてもよい。例えば、いくつかの実施形態では、ユーザは、ＰＯＩの画像表現６５と、地図４９などの他の情報との表示を切り替えるよう、装置１を制御することができてもよい。
【００８６】
本開示のいくつかの例示実施形態では、ルート５５が決定されると、装置１はさらに、ＰＯＩに関する情報を取得してもよい。装置１のユーザが、ルート５５に沿って移動するときにＰＯＩを見つけやすくなるように、ＰＯＩは、ルート５５に沿って、またはルート５５の近くに位置してもよい。取得される情報は、ＰＯＩの画像表現がディスプレイ１５上に表示されることを可能にする情報を含んでもよい。この情報はさらに、ＰＯＩの位置が一意的に特定されることを可能にし得る位置情報など、他の情報を含んでもよい。
【００８７】
ＰＯＩは、ルート５５をたどるユーザを支援するために使用できる任意の実世界の位置または物体を含み得る。例えば、ＰＯＩは、建物、橋、または像もしくはモニュメントなどの人工建造物を有してもよい。いくつかの実施形態では、ＰＯＩは、掲示板もしくは広告看板、郵便ポスト、交通信号もしくは横断歩道、または通りにあり得る任意の種類の特徴などの路上設備を有してもよい。いくつかの実施形態では、ＰＯＩは、川または丘などの地勢を有してもよい。
【００８８】
いくつかの実施形態では、異なる複数のＰＯＩが特定されてもよい。そのような実施形態では、プロセッサ３は、特定された複数のＰＯＩから、使用するＰＯＩを選択するよう構成されてもよい。プロセッサ３は、装置１のユーザに最も関連のあるＰＯＩを選択してもよい。プロセッサ３は、重み付けアルゴリズムを使用して、装置１のユーザに最も関連のあるＰＯＩがどれであるかを判断してもよい。いくつかの実施形態では、プロセッサ３は、ユーザによる以前の活動に関する情報を使用して、装置１のユーザに最も関連のあるＰＯＩがどれであるかを判断してもよい。
【００８９】
ＰＯＩの画像表現６５は、ディスプレイ１５上に表示され得る任意のイメージを含み得る。ＰＯＩの画像表現６５は、ユーザがＰＯＩを認識できるようにするよう構成されてもよい。いくつかの例示実施形態では、ＰＯＩの画像表現６５のレンダリングを可能にするために、ＰＯＩに関する情報が使用されてもよい。いくつかの実施形態では、ユーザが画像表現６５を見て、続いて画像表現６５をもとにして実世界の項目を認識および識別できるように、ＰＯＩの画像表現６５は、実世界のＰＯＩと、見た目が十分に似ていてもよい。いくつかの実施形態では、ＰＯＩの画像表現６５は、ＰＯＩのテキスト記述を含み、ユーザがＰＯＩを識別する支援をしてもよい。
【００９０】
本開示のいくつかの実施形態では、ＰＯＩの画像表現６５は、その実世界環境の画像表現の中という状況のもとに表示されてもよい。これは、ユーザがルートに沿って移動するときにＰＯＩを認識する支援となってもよい。
【００９１】
本開示のいくつかの実施形態では、画像表現６５は、実世界のＰＯＩの写真を含んでもよい。写真は例えば、ＰＯＩの全景であってもよい。全景は、遠隔サーバ上に記憶されてもよく、送受信機１９を介して装置１により受信されてもよい。いくつかの実施形態では、全景は、無線データ接続を介して受信されてもよい。
【００９２】
いくつかの実施形態では、ＰＯＩの画像表現６５が表示されると、ＰＯＩの識別表示も表示されてもよい。コントローラ４は、少なくとも１つのＰＯＩの識別表示を表示するよう、ディスプレイ１５を制御してもよい。少なくとも１つのＰＯＩの識別表示は、画像表現６５と、同時にディスプレイ１５上に表示され得る他の情報とを、ユーザが区別することを可能にしてもよい。例えば、ＰＯＩの画像表現６５を含むイメージは、建物またはランドマークなど、他の複数の項目も含んでもよい。表示される識別表示は、ＰＯＩと、イメージ内の他の項目とをユーザが区別することを可能にするよう構成されてもよい。
【００９３】
いくつかの実施形態では、識別表示は、ＰＯＩとして特定された任意の項目と、ＰＯＩとして特定されていない項目とを区別する形で、該任意の項目を表示することを含んでもよい。例えば、ディスプレイ１５上に表示されるＰＯＩの画像表現６５は、ディスプレイ１５上に表示され得る他の情報と比べて、画像が拡張されてもよい。ＰＯＩの識別表示は、画像表現の強調表示部分を構成してもよく、これにより、ディスプレイ上の他の項目とは異なる形でＰＯＩが表示されてもよい。例えば、ＰＯＩとして特定される項目は、それらがディスプレイ上の他の項目よりも目立って表示されるように、変更されてもよい。本開示のいくつかの実施形態では、ＰＯＩの識別表示は、ＰＯＩとして特定される項目を、ディスプレイ１５上に表示される他の項目とは異なる色で表示することを含んでもよい。いくつかの実施形態では、ＰＯＩの識別表示は、ＰＯＩの画像表現６５の周りに表示され得る境界線６７を含み、ＰＯＩと、ディスプレイ１５上に同じく表示され得る他の項目とを視覚的に区別してもよい。いくつかの実施形態では、コントローラ４は、視覚表現が変化するように、ＰＯＩの画像表現が表示されているディスプレイ１５のセクションを制御して点滅させるように構成されてもよく、例えば、使用される色、またはディスプレイ１５のバックライトの明るさが短期間で変更されてもよい。当然のことながら、この他、ＰＯＩの画像表現６５を視覚的に拡張する任意の手段が、本開示の他の実施形態において使用され得る。
【００９４】
いくつかの実施形態では、ＰＯＩの識別表示を表示することは、ＰＯＩを特定できるラベル７７を表示することを含んでもよい。例えば、コントローラ４は、ＰＯＩの画像表現６５を特定するラベル７７を表示するように、ディスプレイ１５を制御するよう構成されてもよい。ラベル７７は、ＰＯＩの特定を可能にする任意の情報を含んでよい。
【００９５】
図３Ａのブロック３５にて、第１の地理的位置から第２の地理的位置までユーザがルート５５をたどることを可能にする、指示６１が提供されてもよい。例えば、コントローラ４は、ユーザが第１の地理的位置から第２の地理的位置までルート５５をたどることを可能にする指示６１を提供するよう、装置１を制御してもよい。指示６１は、第１の地理的位置から第２の地理的位置まで、提案される経路をユーザがたどることを可能にする、任意の情報を含んでよい。
【００９６】
本開示の例示実施形態では、指示６１は、特定されたＰＯＩを参照してもよい。例えば、ユーザが容易に指示に従うことができるよう、指示６１の中で、ディスプレイ１５上に表示され得る画像表現に対応するＰＯＩが参照されてもよい。例えば、ＰＯＩは、いつ曲がるべきかをユーザが特定できるように使用されてもよい。そのような例では、ＰＯＩは、レストランＸであってもよく、指示６１は、「レストランＸで右折」と述べてもよい。ＰＯＩはさらに、ユーザがどの通りに進入するべきかを示すために使用されてもよい。そのような例では、指示は、「レストランＸが見える大通りに入るよう左折」と述べてもよい。ＰＯＩはさらに、ユーザがまだルート５５を正しくたどっていることをユーザに知らせるために使用されてもよい。そのような例では、指示６１は、「左手のレストランＸを過ぎて２００ｍ進み続ける」と述べてもよい。当然のことながら、この他、ＰＯＩを参照する任意の適切な種類の道順案内および指示６１が提供されてもよい。さらに、当然のことながら、レストランＸは例として使用されたものであり、指示６１において参照されるＰＯＩは、任意の適切なＰＯＩとされ得る。
【００９７】
いくつかの実施形態では、装置１は、指示６１がディスプレイ１５上に表示されることを可能にするよう構成されてもよい。そのような実施形態では、ＰＯＩの画像表現６５は、ディスプレイ１５の第１の部分４３に表示されてもよく、指示６１は、ディスプレイ１５の第２の部分４５に表示されてもよい。これは、ＰＯＩの画像表現６５および指示６１を、同時に表示できるようにしてもよい。これは、指示において参照されるＰＯＩを、装置１のユーザが容易に識別できるようにしてもよく、それゆえ、ユーザが容易にルートをたどることができるようにしてもよい。
【００９８】
いくつかの実施形態では、指示は、オーディオ出力など、他の出力を使用して提供されてもよい。オーディオ出力は、ディスプレイ１５上に表示される指示６１の代わりに提供されても、またはそれに加えて提供されてもよい。例えば、装置１は、ユーザが指示を聴くことを可能にする、スピーカまたはイヤホンなどのオーディオ出力デバイスに接続されてもよい。これは、ユーザが装置１を見なくても指示を受けられるようにしてもよい。これは、ユーザが移動するとき、装置１よりも自身の周囲の状況に集中しなければならないと思われるため、有用となり得る。
【００９９】
図３Ｂは、本開示の実施形態による別の方法を概略的に示すブロック図である。本方法も、図１に示された装置１または図２に示された装置１'などの装置によって実装されてもよく、いくつかの実施形態では、図４Ａ〜図４Ｄに示されるグラフィカル・ユーザ・インターフェースが使用されてもよい。
【０１００】
図３Ｂに示されている方法は、ブロック３６にて、第１の地理的位置から第２の地理的位置までのルートを取得することと、ブロック３７にて、ルートに沿って少なくとも１つのＰＯＩの画像表現を表示することとを含む。少なくとも１つのＰＯＩの画像表現は、少なくとも１つのＰＯＩの画像表現に一致するＰＯＩをユーザが認識することを可能にするよう構成されてもよい。図３Ｂに示されている方法はさらに、ブロック３８にて、少なくとも１つのＰＯＩの識別表示を表示することを含む。
【０１０１】
図３Ａおよび図３Ｂに示されているブロックは、方法のステップ、および／またはコンピュータ・プログラム・コード９内のコードのセクションを表し得る。ブロックの特定の順序の例示は、必ずしもそのブロックに関して要求される順序または好ましい順序があることを意味するとは限らず、ブロックの順序および配置は変更されてもよい。例えば、図３Ａにおいて、ブロック３５はブロック３３に続くが、当然のことながら、これらのブロックは、同時を含む任意の順序で発生し得る。さらに、いくつかのブロックが省略可能であることもある。
【０１０２】
図４Ａ〜図４Ｄは、本開示の例示実施形態によるグラフィカル・ユーザ・インターフェース４１を示す。グラフィカル・ユーザ・インターフェース４１は、図１に示されている装置１のディスプレイ１５上に表示されてもよい。図４Ａ〜図４Ｄの例示実施形態では、ディスプレイは、項目が表示されているディスプレイ１５のエリアを作動させることによってユーザが項目を選択できる、タッチセンシティブ・ディスプレイ１５であってもよい。グラフィカル・ユーザ・インターフェース４１は、上述の、図３Ａおよび図３Ｂに示された方法を実装するために使用されてもよい。
【０１０３】
当然のことながら、グラフィカル・ユーザ・インターフェース４１は、図４Ａ〜図４Ｄでは概略的に示されており、本開示の実装においては、概略の線画ではなく、写真などのイメージが使用されてもよい。
【０１０４】
図４Ａに示されているグラフィカル・ユーザ・インターフェース４１は、第１の部分４３、第２の部分４５、および第３の部分４７を有する。
【０１０５】
グラフィカル・ユーザ・インターフェース４１の第１の部分４３は、地図４９を表示する。地図４９は、第１の地理的位置の標示５１と、第２の地理的位置の標示５３とを有する。いくつかの実施形態では、地図４９は、遠隔サーバによって計算および作成され、地図４９をディスプレイ１５上に表示できるように、送受信機１９を介して装置１によって受信されてもよい。他の実施形態では、プロセッサ３が１つ以上のメモリ５から地図４９を読み出して、ディスプレイ１５上に地図４９を表示させることができるように、地図４９は１つ以上のメモリ５に記憶されてもよい。
【０１０６】
図４Ａ〜図４Ｄに示されている本開示の特定の実施形態では、第１の地理的位置は、装置１の現在位置に対応する。したがって、第１の地理的位置の標示５１は、装置１の現在位置の標示を提供する。当然のことながら、他の実施形態では、他の位置を第１の地理的位置として使用することができるであろう。
【０１０７】
第２の地理的位置は、装置１のユーザによって特定された行き先に対応する。この特定の実施形態では、第２の地理的位置は、装置１のユーザが訪問したい大聖堂を含む。当然のことながら、本開示の他の実施形態では、他の任意の位置を第２の地理的位置として使用することができるであろう。
【０１０８】
図４Ａに示されたグラフィカル・ユーザ・インターフェース４１では、第１の地理的位置と第２の地理的位置との間のルート５５が決定されている。ルート５５は、地図４９上に矢印５７で示されている。他の実施形態では、ルート５５を示す他の手段が使用されてもよい。
【０１０９】
図４Ａに示されているグラフィカル・ユーザ・インターフェース４１では、ルートに沿ったＰＯＩに関する情報も取得されている。ＰＯＩの位置を示す項目５９が、地図４９上に表示されている。本開示のいくつかの実施形態では、ＰＯＩは、ルート５５のうち、方向転換を伴うすべての部分、またはその他、ルート５５のうち、指示６１が提供される任意の地点に対して提供されてもよい。ＰＯＩに選ばれる実世界の項目は、ユーザが容易に認識できる任意の項目を含んでよい。本開示のいくつかの実施形態では、ユーザは、どのような種類の項目がＰＯＩとして使用しやすいと感じるかを指定することができてもよい。例えばユーザは、歴史的重要性のある建物よりも、商店またはレストランの方が認識しやすいと感じるかもしれない。他の実施形態では、ＰＯＩは、道順が示される位置で、最も視覚的に特色のある項目となるよう決定されてもよい。
【０１１０】
項目５９は、ユーザ選択可能な項目であってもよい。項目５９のユーザ選択に応答して、コントローラ４は、ディスプレイ１５上にＰＯＩの画像表現６５を表示するよう、装置１を制御してもよい。ＰＯＩの識別表示も表示されてもよい。ＰＯＩの識別表示は、ルート５５をたどっているときにユーザがＰＯＩを認識することを可能にしてもよい。これは、ユーザが正しく道順をたどる支援をしてもよい。
【０１１１】
図４Ａ〜図４Ｄの例示実施形態では、グラフィカル・ユーザ・インターフェース４１の第２の部分４５が、指示６１を表示するよう設定されてもよい。指示６１は、装置１のユーザがルート５５をたどる支援をする情報を有する。
【０１１２】
指示６１は、１つ以上のＰＯＩに対する参照を含んでもよい。この特定の実施形態では、指示は、「左手のホテルＡを通過」と述べている。指示６１はさらに、装置１のユーザが移動すべき方向を示す矢印、およびユーザがその方向に進み続けるべき距離の標示も含む。当然のことながら、本開示の他の実施形態では、他の情報が提供されてもよい。
【０１１３】
グラフィカル・ユーザ・インターフェース４１の第３の部分４７は、指示６１の中で参照されるＰＯＩの画像表現６５を表示する。画像表現６５は、写真などのイメージを含んでもよい。写真は、ＰＯＩの全景であってもよい。
【０１１４】
示されている特定の実施形態では、ディスプレイ１５の第１の部分４３は、第３の部分４７よりもはるかに大きい。図４Ａでは、ディスプレイ１５のうち、地図４９を表示するよう設定されている部分は、ＰＯＩの画像表現６５を表示するよう設定されている部分よりもはるかに大きい。
【０１１５】
グラフィカル・ユーザ・インターフェース４１はさらに、情報を装置１のユーザに提供する他の項目を有してもよい。例えば、ユーザが第２の地理的位置に到着するまでの残距離を示す項目７１が表示されてもよい。この項目７１は、ルート５５に沿ってユーザが移動するにつれて更新されてもよい。さらに、電池またはその他の電源装置の残電力などの情報を示す項目７３、および装置１が利用できる無線通信リンクの信号強度を示す項目７５があってもよい。当然のことながら、本開示の他の実施形態では、例えば、現在の時刻、第２の地理的位置へのユーザの到達予定時刻、ユーザの移動速度、またはその他任意の情報など、他の情報が装置１のユーザに提供されてもよい。
【０１１６】
図４Ｂは、本開示による、第２のグラフィカル・ユーザ・インターフェース４１を示す。図４Ｂに示されたグラフィカル・ユーザ・インターフェース４１はさらに、図４Ａに示された各部分に対応する、第１の部分４３、第２の部分４５、および第３の部分４７を有する。しかし、図４Ｂでは、ＰＯＩの画像表現６５が、今度は第１の部分４３に表示され、地図４９が、第３の部分４７に表示されている。したがって、図４Ｂでは、ディスプレイ１５のうち、ＰＯＩの画像表現６５を表示するよう設定されている部分が、地図４９を表示するよう設定されている部分よりもはるかに大きい。
【０１１７】
装置１のユーザは、ユーザ入力デバイス１７を使用して装置１を制御し、図４Ａおよび図４Ｂに示された２つのユーザ・インターフェースを切り替えることができてもよい。例えば、ユーザは、ディスプレイ１５の第３の部分４７を作動させることによって、２つのユーザ・インターフェース４１を切り替えることができてもよい。これは、ユーザがいずれか最も便利と感じる方のビューを使用できるようにしてもよい。
【０１１８】
図４Ｂでは、装置１は、図４Ａの装置１と同じ位置にある。したがって、ユーザは２つのユーザ・インターフェースを切り替えはしたが、装置１の位置は移動も変更もしていない。ディスプレイ１５の第２の部分４５に表示されている指示６１は、図４Ａおよび図４Ｂのいずれにおいても同じである。
【０１１９】
ＰＯＩの画像表現６５は、図４Ｂにおいて、この例ではホテルＡであるＰＯＩに対応する建物の周りの太い境界線６７によって特定されている。ＰＯＩの画像表現６５は、指示６１内の情報に相関してユーザが指示に従う支援をする、ラベル７７も有する。これは、イメージ内のどの項目がＰＯＩに対応するかをユーザが容易に識別することを可能にする。さらにこれは、イメージ内のどの項目が、指示６１内で参照されているＰＯＩに対応するかを、ユーザが容易に識別することを可能にする。これは、正しく指示に従っているという自信をユーザにもたらしてもよい。
【０１２０】
ＰＯＩの画像表現６５は、ルート５５をたどっているときにユーザがＰＯＩを見る可能性が高い視点に一致する視点から表示されてもよい。ユーザがＰＯＩを見る可能性が高い視点は、ユーザが移動しているはずのルート５５または方向、ユーザが使用している交通手段、ユーザが移動している速度に関する情報、またはその他任意の適切な情報から判断されてもよい。これは、ユーザがＰＯＩに接近するであろう方向、および／またはＰＯＩからのユーザの距離の目安を提供してもよい。この情報は、ユーザがルート５５をたどるときに見るはずであるＰＯＩのビューに画像表現６５が一致するように、表示されるＰＯＩの画像表現６５を決定するために使用されてもよい。これは、ユーザが、より容易にＰＯＩを認識できるようにしてもよい。
【０１２１】
ここでディスプレイの第３の部分４７に表示されている地図４９は、図４Ａに示されたグラフィカル・ユーザ・インターフェース４１にも表示された地図４９の中の或るセクションを含む。ここでは、地図４９の表示に利用可能なエリアがはるかに小さくなっているため、地図４９の一部のみが、図４Ｂのグラフィカル・ユーザ・インターフェース４１に表示されている。
【０１２２】
図４Ｃは、本開示による、第３のグラフィカル・ユーザ・インターフェース４１を示す。図４Ｃに示されているグラフィカル・ユーザ・インターフェース４１では、ユーザは、ルート５５に沿って移動しており、その結果、現在、角を曲がる必要がある地点に近づいている。
【０１２３】
ディスプレイ１５の第２の部分４５に表示される指示６１は、ここでは、「ホテルＢの手前で左折」と述べている。ディスプレイ１５の第１の部分４３は、この新たな指示で参照されているＰＯＩの画像表現６５を表示するよう更新されている。この例では、ＰＯＩは、今度はホテルＢになっている。
【０１２４】
図４Ｂと同様に、ＰＯＩであるホテルＢの画像表現６５は、イメージにおいて、ホテルＢに対応する建物の周りの太い境界線６７によって特定されている。ＰＯＩの画像表現６５はさらに、ＰＯＩをホテルＢとして特定して、イメージと提供された指示とを相関させる、ラベル７７を有する。
【０１２５】
第１の部分４３に表示されるイメージは、矢印６９も含む。矢印は、装置１のユーザにさらなる指示を提供し、ユーザが、ＰＯＩの手前で左折するべきなのか、またはＰＯＩの後で左折するべきなのかを明らかにする。
【０１２６】
図４Ｃの例示実施形態では、ディスプレイ１５の第３の部分４７も、地図４９のうち、ユーザが指示に従って左折するべき部分を示すよう更新されている。
【０１２７】
図４Ｄは、本開示による、第４のグラフィカル・ユーザ・インターフェース４１を示す。図４Ｄに示されたグラフィカル・ユーザ・インターフェース４１では、ユーザはルート５５に沿って移動しており、その結果、ルートをほぼ達成していて、現在、第２の地理的位置に接近しつつある。
【０１２８】
ディスプレイ１５の第２の部分４５に表示される指示６１は、ここでは、「前方に大聖堂」と述べている。ディスプレイ１５の第１の部分４３は、この例では大聖堂である第２の地理的位置の画像表現６５を表示するよう更新されている。
【０１２９】
図４Ａおよび図４Ｂと同様に、画像表現６５は、イメージにおいて、大聖堂に対応する建物の周りの太い境界線６７によって特定されている。画像表現６５はさらに、建物を大聖堂として特定するラベル７７を有する。
【０１３０】
図４Ｄの例示実施形態では、ディスプレイ１５の第３の部分４７も、地図４９のうち、第２の地理的位置に対応する部分を示すよう更新されている。
【０１３１】
本開示の実施形態は、第１の地理的位置から第２の地理的位置までユーザが移動することを可能にする情報をユーザに提供する、改善された方法を提供する。指示の中でＰＯＩに対する参照を提供することで、指示をユーザが容易に理解して従うことができるようにしてもよい。例えば、人には、「５００メートル先で左折」よりも、「ホテルＢで左折」という指示の方が、はるかに理解しやすいと思われる。ユーザは、ホテルＢを見つけて認識することは容易にできても、５００メートル移動したと判断することはできないかもしれない。
【０１３２】
本開示の実施形態は、歩行者ユーザに有利であると思われる。そのようなユーザは、車に乗っているユーザよりも遅い速度で移動すると思われるため、移動するときに、ＰＯＩに対してより深く注意を払うことができるかもしれない。さらに、歩行者は、交通の流れにも交通規制にも制限されないので、必要に応じて何度でも立ち止まって、ディスプレイ上の指示およびイメージを参照し直すことができると思われる。このため、ユーザは、ＰＯＩに到着したと思えば止まり、実世界のＰＯＩと、ディスプレイ上の画像表現とを比較して、正しく道順をたどっていることを確認することができるかもしれない。さらに、歩行者には、距離を測定する方法も羅針方位を判断する方法もないこともあるため、そのようなユーザは、距離および羅針方位を参照する指示よりも、ＰＯＩを参照する指示の方が有用であると感じるかもしれない。
【０１３３】
さらに、本開示の実施形態は、ＰＯＩに対する参照を含む指示と、ＰＯＩの画像表現とを相関させる。例えば、ＰＯＩの指示および画像表現が、同時に表示されてもよい。イメージ内のどの項目がＰＯＩに対応するかをユーザが容易に判断できるように、ＰＯＩの画像表現が特定されてもよい。例えば、ＰＯＩの画像表現の周りに境界線が提供されてもよく、ＰＯＩの画像表現が異なる色で表示されてもよい。これは、ユーザがＰＯＩを容易に識別できるようにしてもよい。
【０１３４】
ＰＯＩの画像表現は、ユーザがより容易に道順をたどることを可能にするとともに、正しい地点で曲がって適切に指示に従っているという自信をユーザにもたらしてもよく、さらに、ユーザがその行き先に到着したときに認識できるようにしてもよい。
【０１３５】
さらに、イメージと指示との組み合わせは、ユーザが、装置を繰り返し参照し直さなくても、指示に従うことができるようにしてもよい。例えば、「ホテルＢで左折」という指示がユーザに提供されれば、ユーザは、ホテルＢに到達して左折し、次の指示を受ける準備ができるまで、装置を参照し直さなくてよい。反対に、指示が単に「５００メートル先で左折」と述べたとすると、ユーザは、５００メートル進んだときを判断するために、装置を繰り返し参照し直さなければならないかもしれない。ユーザが運転または歩行中に装置１を見なければならない総量を削減することは、それによってユーザは周囲の状況により深く注意を払うことができるので、特に有益であると思われる。
【０１３６】
図５は、本開示の別の実施形態による方法を示す。図５に示されている方法は、図１に示し上述した装置１を使用して実装されてもよい。図５の方法は、上述の方法および実施形態に取り入れられてもよい。
【０１３７】
ブロック１０１にて、プロセッサ３は、地理的位置の視点ビューを表示するよう、ディスプレイ１５を制御してもよい。視点ビューは、第１の縮尺で表示されてもよい。視点ビューは、実世界の地理的位置の画像表現であってもよい。視点ビューは、地理的位置の視点ビューを含んでもよい。視点ビューは、地理的地位の一部の連続的なビューであってもよい。本開示のいくつかの実施形態では、視点ビューは、実世界の地理的位置の写真を含んでもよい。本開示のいくつかの例示実施形態では、視点ビューは、地図、または地図の中の或るセクションを含んでもよい。他の実施形態では、視点ビューに加えて地図が表示されてもよい。
【０１３８】
本開示のいくつかの実施形態では、視点ビューは、装置１によって捕捉されるイメージを含んでもよい。イメージは、本方法が実行される前に捕捉されてもよい。捕捉されたイメージは、装置１の１つ以上のメモリ５に記憶されてもよい。
【０１３９】
装置１のユーザの位置の、その瞬間のビューを視点ビューが含むように、イメージは、本方法が実行されている間に捕捉されてもよい。例えば、視点ビューは、拡張現実をユーザに提供するために使用されてもよい。
【０１４０】
視点ビューは、ディスプレイ１５の第１の領域に表示されてもよい。ディスプレイ１５はさらに、第１の領域の境界を定める境界線を表示するよう設定されてもよい。
【０１４１】
ブロック１０３にて、ＰＯＩが特定される。ＰＯＩは、視点ビューによって表現される地理的位置に関連してもよい。本開示のいくつかの実施形態では、ＰＯＩは、ブロック１０３にて表示されている視点ビューの中に表示されている、ＰＯＩであってもよい。本開示の他の実施形態では、ＰＯＩは、視点ビューによって表現されている地理的位置の近くの領域に位置してもよいが、表示されている視点ビューでは見えなくてもよいであろう。
【０１４２】
本開示のいくつかの実施形態では、ＰＯＩは、建物、橋、または像もしくはモニュメントなどの人工建造物を有してもよい。いくつかの実施形態では、ＰＯＩは、掲示板もしくは広告看板、郵便ポスト、交通信号もしくは横断歩道、または通りにあり得る任意の種類の特徴などの路上設備を有してもよい。
【０１４３】
本開示のいくつかの実施形態では、ＰＯＩは、１つ以上の英数字を含んでもよい。英数字は、テキスト部を構成してもよい。テキスト部は、例えば、商店またはその他企業を示す看板、地名を示す道路標識、またはその他任意の適切なテキスト部を含んでもよい。
【０１４４】
本開示のいくつかの実施形態では、ＰＯＩを特定することは、複数の利用可能なＰＯＩから、ＰＯＩを選択することを含んでもよい。例えば、視点ビューには、複数のＰＯＩが表示されてもよい。いくつかの実施形態では、プロセッサは、表示されたＰＯＩのうちの１つ以上を選択するよう構成されてもよい。本開示のいくつかの実施形態では、表示された視点ビューに対応する地理的位置から所定の距離内に複数のＰＯＩがあってもよい。そのような実施形態では、プロセッサ３は、地理的位置から所定の距離内のＰＯＩのうちの１つ以上を選択するよう構成されてもよい。
【０１４５】
本開示のいくつかの実施形態では、プロセッサ３は、装置１のユーザに関連のあるＰＯＩを特定するよう構成されてもよい。いくつかの実施形態では、プロセッサが装置１のユーザに最も関連のあるＰＯＩを特定することを可能にするために、重み付けアルゴリズムが使用されてもよい。重み付けアルゴリズムは、利用可能なＰＯＩのそれぞれが、ＰＯＩの特性に基づいて値を割り当てられることを含んでもよい。最も関連のあるＰＯＩは、最大の重み値を有するＰＯＩに決定されてもよい。
【０１４６】
重み付けアルゴリズムにおいて使用され得るＰＯＩの特性には、ＰＯＩの大きさ、ユーザとＰＯＩとの距離、ＰＯＩの形状または視覚的な特殊性、ユーザがＰＯＩもしくは類似のＰＯＩに関連する活動を以前にしたことがあるか否か、またはその他任意の適切な特性が含まれ得る。ＰＯＩまたは類似のＰＯＩに関連する活動には、ＰＯＩもしくは類似のＰＯＩの訪問、ＰＯＩもしくは類似のＰＯＩに関するウェブサイトなどの情報へのアクセス、またはその他任意の適切な活動が含まれ得る。ユーザは、活動の実施に装置１を使用したことがあってもよい。例えば、ユーザは、装置１を使用して、ＰＯＩに関連するウェブサイトにアクセスしたことがあってもよい。
【０１４７】
例として、ＰＯＩは、コーヒー店またはコーヒー店が位置する建物の看板を有してもよい。ユーザは、以前、コーヒー店を訪問したことがあってもよく、またはコーヒー店を探してウェブサイトにアクセスしたことがあってもよく、またはソーシャル・ネットワーキング・アプリケーションを介してコーヒー店のニュースフィードに登録していてもよい。そのような実施形態では、ユーザがコーヒー店に関心を持っているかもしれないと認識されてもよく、そこで、コーヒー店に、他の種類のショップよりも大きな重み値が与えられてもよい。
【０１４８】
ブロック１０５にて、特定されたＰＯＩが、ディスプレイ１５の第２の領域に第２の縮尺で表示されてもよい。ディスプレイ１５の第２の領域は、ディスプレイ１５の第１の領域に隣接して表示されてもよい。ディスプレイ１５はさらに、第１の領域の境界を定める境界線を表示するよう設定されてもよい。
【０１４９】
第２の縮尺は、第１の縮尺よりも大きくてもよい。第２の縮尺は、第１の部分で見えない情報が、第２の部分で見えるような縮尺であってもよい。
【０１５０】
本開示のいくつかの実施形態では、ユーザがＰＯＩから所定の距離内にいるときは常に、ＰＯＩがディスプレイ１５の第２の領域に第２の縮尺で表示されてもよい。いくつかの実施形態では、ＰＯＩは、ユーザ入力に応答して、ディスプレイ１５の第２の領域に第２の縮尺で表示されてもよい。いくつかの実施形態では、ＰＯＩは、ユーザがルートをたどることを可能にし得る一連の指示の一部として、ディスプレイ１５の第２の領域に第２の縮尺で表示されてもよい。
【０１５１】
本開示のいくつかの実施形態では、表示されている視点ビューに対して相対的に、ＰＯＩがどこに位置するかを示すインジケータが表示されてもよい。例えば、インジケータは、視点ビューの中でＰＯＩの相対的な場所を示す、矢印またはその他の視覚的な目印であってもよい。
【０１５２】
図６は、図５に関係して上述した方法において使用され得るグラフィカル・ユーザ・インターフェース１１１を示す。グラフィカル・ユーザ・インターフェース１１１は、図１に示し上述した装置１のディスプレイ１５上に表示されてもよい。
【０１５３】
ディスプレイ１５は、第１の部分１１３および第２の部分１１５を有する。図６の例示実施形態では、第３の部分１１７、第４の部分１１９、および第５の部分１２１も提供されている。本開示のいくつかの実施形態では、このそれぞれの部分が同時に表示されてもよい。図６の例示実施形態では、第２、第３、第４、および第５の部分は、ディスプレイ１５の端に位置している。本開示の他の実施形態では、このそれぞれの部分は、他の位置にあってもよい。
【０１５４】
図６に示された例示実施形態では、第１の部分１１３が最も大きい部分である。第１の部分１１３が、ディスプレイ１５のほとんどを占める。いくつかの実施形態では、それぞれの部分は、異なる大きさまたは比例する大きさであってもよい。例えば、図６に示された実施形態では、第２の部分１１５は、第１の部分１１３よりもはるかに小さい。他の実施形態では、第２の部分１１５は、第１の部分１１３と同じ大きさまたはほぼ同じ大きさあってもよい。そのような実施形態では、第１の部分１１３および第２の部分１１５はそれぞれ、ディスプレイ１５の半分またはほぼ半分を占めてもよい。本開示のいくつかの実施形態では、ユーザは、それぞれの部分の大きさを変更できてもよい。
【０１５５】
ディスプレイ１５の第１の部分１１３に視点ビュー１２３が表示されている。視点ビューは、例えば、通りその他の実世界の地理的位置の写真であってもよい。地理的位置は、測位デバイスを使用して測定され得るユーザの現在位置であってもよい。いくつかの実施形態では、地理的位置は、関心があるとユーザが指定した地理的位置であってもよい。
【０１５６】
図６に示された視点ビュー１２３は、複数のＰＯＩ１２５を有する。この例示実施形態では、ＰＯＩ１２５は、道路標識または商店の看板であってもよい。本開示の他の実施形態では、ＰＯＩは、ユーザが関心を持ち得る、その他任意の項目を有してもよい。
【０１５７】
第１の部分の視点ビュー１２３は、第１の縮尺で表示される。第１の縮尺は、ユーザがＰＯＩ１２５の細部を見ることができないような縮尺であってもよい。例えば、ＰＯＩにある任意の文字またはテキストまたは英数字が、小さすぎてユーザには読めなくてもよいし、または読みにくくてもよい。
【０１５８】
図６の例示実施形態では、ＰＯＩ１２５が第２の部分１１５に表示されている。ＰＯＩ１２５は、第１の縮尺よりも大きくてもよい、第２の縮尺で表示されてもよい。これは、ユーザがＰＯＩ１２５を容易に識別できるようにしてもよい。例えばこれは、ユーザが、ＰＯＩ１２５にある任意のテキストを読むこと、または任意の英数字を認識することを可能にしてもよい。
【０１５９】
図６の例示実施形態では、１つのみのＰＯＩ１２５が第２の部分に表示されている。上述の通り、プロセッサ３は、表示されるＰＯＩを、重み付けアルゴリズムを使用して選択していてもよい。例として、コーヒー店が靴屋に隣接して位置している。しかし、プロセッサ３は、ユーザには靴屋よりもコーヒー店に関係する活動の方が多いと判断してもよく、そこで、靴屋よりもコーヒー店の方が関連のあるＰＯＩ１２５であると判断してもよい。
【０１６０】
図６の例示実施形態では、地図がディスプレイ１５の第３の部分１１７に表示されてもよい。地図は、視点ビューおよびＰＯＩ１２５の地理的位置の標示を提供してもよい。
【０１６１】
さらに、図６の例示実施形態では、ディスプレイ１５の第４の部分に、ルート指示１１９などの情報が表示されてもよい。ルート指示は、図１〜図４に関して上述した通り、ＰＯＩ１２５に対する参照を含んでもよい。
【０１６２】
図６の例示実施形態では、第５の部分１２１にメニュー・バーが表示されている。メニュー・バーは、ユーザが装置１の機能にアクセスすること、または現在の機能を終了することを可能にしてもよい、ユーザ選択可能なアイコンを含んでもよい。
【０１６３】
本開示の他の実施形態では、他の機能をユーザに提供できる他の部分が表示されてもよい。
【０１６４】
本発明の実施形態は、視点ビュー１２３と、視点ビュー１２３に関連するＰＯＩ１２５とが、同時に表示されることを可能にする。これは、ユーザが、視点ビューの周辺状況を見るのと同時に、ＰＯＩ１２５の細部を見ることを可能にしてもよい。拡大することによってビューの周辺状況が失われることもあるので、これによってユーザは、視点ビューを拡大する必要なしにＰＯＩ１２５の細部を見ることができてもよい。
【０１６５】
表示されるＰＯＩ１２５は、ルート指示を提供するために、またはユーザが自身の位置を判断できるようにするために使用されてもよい。いくつかの実施形態では、ユーザに最も関連のあるＰＯＩが表示されてもよい。これにより、装置１がユーザ向けにパーソナライズされてもよい。ユーザには、自身が関心を持つ情報が提供され得るので、これによってさらに、ユーザが容易にＰＯＩを識別できるようになってもよい。
【０１６６】
本開示の実施形態は、様々な例を参照して上記の各段落に記載されたが、当然のことながら、請求される本開示の範囲から逸脱することなく、与えられた例に対して変更が加えられることが可能である。
【０１６７】
前述の説明に記載された特徴は、明確に記載された組み合わせ以外の組み合わせで使用されてもよい。
【０１６８】
各機能は、特定の特徴を参照して記載されたが、そうした機能は、記載されたか否かにかかわらず他の特徴によって実行可能であってもよい。
【０１６９】
各特徴は、特定の実施形態を参照して記載されたが、そうした特徴は、記載されたか否かにかかわらず他の実施形態にも存在してもよい。
【０１７０】
上記明細書では、本開示の、特に重要であると考えられる特徴に注目を集めるよう努めたが、当然のことながら、出願人は、上記で言及し、かつ／または図面に示した、特許性のある任意の特徴または複数の特徴の組み合わせに関して、それが特に強調されたか否かにかかわらず、保護を請求する。
【図１】
2015503740.tif 000003
【図２】
2015503740.tif 000004
【図３Ａ】
2015503740.tif 000005
【図３Ｂ】
2015503740.tif 000006
【図４Ａ】
2015503740.tif 000007
【図４Ｂ】
2015503740.tif 000008
【図４Ｃ】
2015503740.tif 000009
【図４Ｄ】
2015503740.tif 000010
【図５】
2015503740.tif 000011
【図６】
2015503740.tif 000012
【手続補正書】
【提出日】平成26年8月11日(2014.8.11)
【手続補正１】
【補正対象書類名】明細書
【補正対象項目名】０１７０
【補正方法】変更
【補正の内容】
【０１７０】
上記明細書では、本開示の、特に重要であると考えられる特徴に注目を集めるよう努めたが、当然のことながら、出願人は、上記で言及し、かつ／または図面に示した、特許性のある任意の特徴または複数の特徴の組み合わせに関して、それが特に強調されたか否かにかかわらず、保護を請求する。
最後に、例として、好適な実施形態をいくつか端的に定義しておく。
［実施例１］少なくとも１つのプロセッサと、コンピュータ・プログラム・コードを含む少なくとも１つのメモリとを有する装置であって、前記少なくとも１つのメモリおよび前記コンピュータ・プログラム・コードは、前記装置が、第１の地理的位置から第２の地理的位置までのルートを取得すること；前記ルートに沿って少なくとも１つのＰＯＩの画像表現を表示すること；および前記少なくとも１つのＰＯＩの識別表示を表示すること；を、前記少なくとも１つのプロセッサとともに可能にするよう構成され、ここで前記少なくとも１つのＰＯＩの前記画像表現は、前記少なくとも１つのＰＯＩの前記画像表現に一致する前記ＰＯＩをユーザが認識することを可能にするよう構成される、装置。
［実施例２］前記ＰＯＩの前記識別表示は、前記ＰＯＩを強調表示することを含む、実施例１に記載の装置。
［実施例３］前記少なくとも１つのメモリおよび前記コンピュータ・プログラム・コードは、前記第１の地理的位置から前記第２の地理的位置まで前記装置のユーザが前記ルートをたどることを可能にする指示を前記装置が提供することを、前記少なくとも１つのプロセッサとともに可能にするようさらに構成され、前記指示は、前記少なくとも１つのＰＯＩを参照する、実施例１または２に記載の装置。
［実施例４］前記少なくとも１つのメモリおよび前記コンピュータ・プログラム・コードは、前記装置が、前記少なくとも１つのＰＯＩの前記画像表現をディスプレイの第１の部分に表示し、かつ同時に、前記指示を前記ディスプレイの第２の部分に表示することを、前記少なくとも１つのプロセッサとともに可能にするようさらに構成される、実施例３に記載の装置。
［実施例５］前記少なくとも１つのメモリおよび前記コンピュータ・プログラム・コードは、前記装置が、前記指示を示す矢印を表示することを、前記少なくとも１つのプロセッサとともに可能にするようさらに構成される、実施例３または４に記載の装置。
［実施例６］前記少なくとも１つのメモリおよび前記コンピュータ・プログラム・コードは、前記装置が、少なくとも１つのＰＯＩに関連する少なくとも１つのアイコンを含む地図を表示し、前記アイコンの選択を検出するのに応答して、前記少なくとも１つのＰＯＩの前記画像表現を表示させることを、前記少なくとも１つのプロセッサとともに可能にするようさらに構成される、実施例１から５のいずれかに記載の装置。
［実施例７］前記少なくとも１つのＰＯＩの前記画像表現は、地理的位置の全景の一部を含む、実施例１から６のいずれかに記載の装置。
［実施例８］前記少なくとも１つのメモリおよび前記コンピュータ・プログラム・コードは、前記装置が、ユーザの視点を判断し、前記判断された前記ユーザの視点に一致するよう、前記少なくとも１つのＰＯＩの前記画像表現を表示することを、前記少なくとも１つのプロセッサとともに可能にするようさらに構成される、実施例１から７のいずれかに記載の装置。
［実施例９］前記ユーザの前記視点は、前記ルートから判断される、実施例８に記載の装置。
［実施例１０］前記少なくとも１つのメモリおよび前記コンピュータ・プログラム・コードは、前記装置が、少なくとも目標位置を特定するユーザ入力に応答して前記ルートを取得することを、前記少なくとも１つのプロセッサとともに可能にするようさらに構成される、実施例１から９のいずれかに記載の装置。
［実施例１１］前記少なくとも１つのメモリおよび前記コンピュータ・プログラム・コードは、前記装置が、前記ルートを取得するのに応答して、前記ルートに沿ったＰＯＩに関する情報を取得することを、前記少なくとも１つのプロセッサとともに可能にするようさらに構成される、実施例１から１０のいずれかに記載の装置。
［実施例１２］前記少なくとも１つのメモリおよび前記コンピュータ・プログラム・コードは、前記装置が、前記ルートにおける指示のたびにＰＯＩの画像表現を表示することを、前記少なくとも１つのプロセッサとともに可能にするようさらに構成される、実施例１から１１のいずれかに記載の装置。
［実施例１３］前記少なくとも１つのメモリおよび前記コンピュータ・プログラム・コードは、前記装置が、前記ルートにおける方向転換のたびにＰＯＩの画像表現を表示することを、前記少なくとも１つのプロセッサとともに可能にするようさらに構成される、実施例１から６のいずれか１２に記載の装置。
［実施例１４］第１の地理的位置から第２の地理的位置までのルートを取得することと；前記ルートに沿って少なくとも１つのＰＯＩの画像表現を表示することと；前記少なくとも１つのＰＯＩの識別表示を表示することとを含む方法であって、ここで、前記少なくとも１つのＰＯＩの前記画像表現は、前記少なくとも１つのＰＯＩの前記画像表現に一致する前記ＰＯＩをユーザが認識することを可能にするよう構成される、方法。
［実施例１５］前記ＰＯＩの前記識別表示は、前記ＰＯＩを強調表示することを含む、実施例１４に記載の方法。
［実施例１６］前記方法は、前記第１の地理的位置から前記第２の地理的位置まで装置のユーザが前記ルートをたどることを可能にする指示を提供することをさらに含み、前記指示は、前記少なくとも１つのＰＯＩを参照する、実施例１４から１５のいずれかに記載の方法。
［実施例１７］少なくとも１つのＰＯＩの前記画像表現は、ディスプレイの第１の部分に表示され、同時に前記指示は、前記ディスプレイの第２の部分に表示される、実施例１６に記載の方法。
［実施例１８］前記指示を示す矢印を表示することをさらに含む、実施例１６から１７のいずれかに記載の方法。
［実施例１９］少なくとも１つのＰＯＩに関連する少なくとも１つのアイコンを含む地図を表示し、前記アイコンの選択を検出するのに応答して、前記少なくとも１つのＰＯＩの前記画像表現を表示させることをさらに含む、実施例１４から１８のいずれかに記載の方法。
［実施例２０］少なくとも１つのＰＯＩの前記画像表現は、地理的位置の全景の一部を含む、実施例１４から１９のいずれかに記載の方法。
［実施例２１］ユーザの視点を判断し、前記判断された前記ユーザの視点に一致するよう、前記少なくとも１つのＰＯＩの前記画像表現を表示することをさらに含む、実施例１４から２０のいずれかに記載の方法。
［実施例２２］前記ユーザの前記視点は、前記ルートから判断される、実施例２１に記載の方法。
［実施例２３］前記ルートは、少なくとも目標位置を特定するユーザ入力に応答して取得される、実施例１４から２２のいずれかに記載の方法。
［実施例２４］前記ルートを取得するのに応答して、前記ルートに沿ったＰＯＩに関する情報が取得される、実施例１４から２３のいずれかに記載の方法。
［実施例２５］ＰＯＩの画像表現が、前記ルートにおける指示のたびに表示される、実施例１４から２４のいずれかに記載の方法。
［実施例２６］ＰＯＩの画像表現が、前記ルートにおける方向転換のたびに表示される、実施例１４から２５のいずれかに記載の方法。
［実施例２７］コンピュータ・プログラム命令を含むコンピュータ・プログラムであって、前記コンピュータ・プログラム命令は、少なくとも１つのプロセッサによって実行されると、装置に、第１の地理的位置から第２の地理的位置までのルートを取得することと；前記ルートに沿って少なくとも１つのＰＯＩの画像表現を表示することと；前記少なくとも１つのＰＯＩの識別表示を表示することとを少なくとも実行させ、ここで、前記少なくとも１つのＰＯＩの前記画像表現は、前記少なくとも１つのＰＯＩの前記画像表現に一致する前記ＰＯＩをユーザが認識することを可能にするよう構成される、コンピュータ・プログラム。
［実施例２８］実施例１４から２６のいずれかに記載の前記方法をコンピュータに実行させるためのプログラム命令を含む、コンピュータ・プログラム。
［実施例２９］実施例２７から２８のいずれかに記載の前記コンピュータ・プログラムを具現化する物理的実体。
［実施例３０］実施例２７から２８のいずれかに記載の前記コンピュータ・プログラムを搬送する電磁搬送信号。
［実施例３１］少なくとも１つのプロセッサと、コンピュータ・プログラム・コードを含む少なくとも１つのメモリとを有する装置であって、前記少なくとも１つのメモリおよび前記コンピュータ・プログラム・コードは、前記装置が、地理的位置の視点ビューをディスプレイの第１の領域に第１の縮尺で表示すること；前記地理的位置に関連するＰＯＩを特定すること；および前記特定されたＰＯＩを、前記ディスプレイの第２の領域に第２の縮尺で表示することを、前記少なくとも１つのプロセッサとともに可能にするよう構成される、装置。
［実施例３２］ＰＯＩを特定することは、複数の利用可能なＰＯＩからＰＯＩを選択することを含む、実施例３１に記載の装置。
［実施例３３］前記ＰＯＩを特定することは、前記装置のユーザに関連のあるＰＯＩを判断するために、重み付けアルゴリズムを使用することを含む、実施例３１から３２のいずれかに記載の装置。
［実施例３４］前記重み付けアルゴリズムは、前記装置のユーザに関連のあるＰＯＩを判断するために、前記装置の前記ユーザによる以前の活動を使用する、実施例３３に記載の装置。
［実施例３５］前記ＰＯＩは、自動的に特定される、実施例３１から３４のいずれかに記載の装置。
［実施例３６］前記ＰＯＩは、少なくとも１つの英数字を含む、実施例３１から３５のいずれかに記載の装置。
［実施例３７］前記第２の縮尺は、前記第１の縮尺よりも大きい、実施例３１から３６のいずれかに記載の装置。
［実施例３８］前記特定されたＰＯＩは、ディスプレイの第１の領域では第１の縮尺で、さらに前記ディスプレイの第２の領域では第２の縮尺で、地理的位置の視点ビュー内に表示される、実施例３１から３７のいずれかに記載の装置。
［実施例３９］前記特定されたＰＯＩの位置であって、前記視点ビューに対する相対的な前記位置を示すよう、インジケータが表示される、実施例３１から３８のいずれかに記載の装置。
［実施例４０］地理的位置の視点ビューをディスプレイの第１の領域に第１の縮尺で表示することと；前記地理的位置に関連するＰＯＩを特定することと；前記特定されたＰＯＩを、前記ディスプレイの第２の領域に第２の縮尺で表示することとを含む方法。
［実施例４１］ＰＯＩを特定することは、複数の利用可能なＰＯＩからＰＯＩを選択することを含む、実施例４０に記載の方法。
［実施例４２］前記ＰＯＩを特定することは、前記装置のユーザに関連のあるＰＯＩを判断するために、重み付けアルゴリズムを使用することを含む、実施例４０から４１のいずれかに記載の方法。
［実施例４３］前記重み付けアルゴリズムは、前記装置のユーザに関連のあるＰＯＩを判断するために、前記装置の前記ユーザによる以前の活動を使用する、実施例４２に記載の方法。
［実施例４４］前記ＰＯＩは、自動的に特定される、実施例４０から４３のいずれかに記載の方法。
［実施例４５］前記ＰＯＩは、少なくとも１つの英数字を含む、実施例４０から４４のいずれかに記載の方法。
［実施例４６］前記第２の縮尺は、前記第１の縮尺よりも大きい、実施例４０から４５のいずれかに記載の方法。
［実施例４７］前記特定されたＰＯＩは、ディスプレイの第１の領域では第１の縮尺で、さらに前記ディスプレイの第２の領域では第２の縮尺で、地理的位置の視点ビュー内に表示される、実施例４０から４６のいずれかに記載の方法。
［実施例４８］前記特定されたＰＯＩの位置であって、前記視点ビューに対する相対的な前記位置を示すよう、インジケータが表示される、実施例４０から４７のいずれかに記載の方法。
［実施例４９］コンピュータ・プログラム命令を含むコンピュータ・プログラムであって、前記コンピュータ・プログラム命令は、少なくとも１つのプロセッサによって実行されると、装置に、地理的位置の視点ビューをディスプレイの第１の領域に第１の縮尺で表示することと；前記地理的位置に関連するＰＯＩを特定することと；前記特定されたＰＯＩを、前記ディスプレイの第２の領域に第２の縮尺で表示することとを少なくとも実行させる、コンピュータ・プログラム。
［実施例５０］実施例４０から４８のいずれかに記載の前記方法をコンピュータに実行させるためのプログラム命令を含む、コンピュータ・プログラム。
［実施例５１］実施例４９から５０のいずれかに記載の前記コンピュータ・プログラムを具現化する物理的実体。
［実施例５２］実施例４９から５０のいずれかに記載の前記コンピュータ・プログラムを搬送する電磁搬送信号。
【手続補正２】
【補正対象書類名】特許請求の範囲
【補正対象項目名】全文
【補正方法】変更
【補正の内容】
【特許請求の範囲】
【請求項１】
第１の地理的位置から第２の地理的位置までのルートを取得することと；
前記ルートに沿って少なくとも１つのＰＯＩの画像表現を表示することと；
前記少なくとも１つのＰＯＩの識別表示を表示することと；
前記第１の地理的位置から前記第２の地理的位置まで装置のユーザが前記ルートをたどることを可能にする指示を提供すること；
を含み、前記少なくとも１つのＰＯＩの前記画像表現は、前記少なくとも１つのＰＯＩの前記画像表現に一致する前記ＰＯＩをユーザが認識することを可能にするよう構成され、前記指示は前記少なくとも１つのＰＯＩを参照する、方法。
【請求項２】
前記ＰＯＩの前記識別表示は、前記ＰＯＩの前記画像表現を強調表示することを含む、請求項１に記載の方法。
【請求項３】
少なくとも１つのＰＯＩの前記画像表現は、ディスプレイの第１の部分に表示され、同時に前記指示は、前記ディスプレイの第２の部分に表示される、請求項１に記載の方法。
【請求項４】
前記指示を示す矢印を表示することをさらに含む、請求項１から３のいずれかに記載の方法。
【請求項５】
少なくとも１つのＰＯＩに関連する少なくとも１つのアイコンを含む地図を表示し、前記アイコンの選択を検出するのに応答して、前記少なくとも１つのＰＯＩの前記画像表現を表示させることをさらに含む、請求項１から４のいずれかに記載の方法。
【請求項６】
少なくとも１つのＰＯＩの前記画像表現は、地理的位置の全景の一部を含む、請求項１から５のいずれかに記載の方法。
【請求項７】
ユーザの視点を判断し、前記判断された前記ユーザの視点に一致するよう、前記少なくとも１つのＰＯＩの前記画像表現を表示することをさらに含む、請求項１から６のいずれかに記載の方法。
【請求項８】
前記ユーザの前記視点は、前記ルートから判断される、請求項７に記載の方法。
【請求項９】
前記ルートは、少なくとも目標位置を特定するユーザ入力に応答して取得される、請求項１から８のいずれかに記載の方法。
【請求項１０】
前記ルートを取得するのに応答して、前記ルートに沿ったＰＯＩに関する情報が取得される、請求項１から９のいずれかに記載の方法。
【請求項１１】
ＰＯＩの画像表現が、前記ルートにおける指示のたびに表示される、請求項１から１０のいずれかに記載の方法。
【請求項１２】
ＰＯＩの画像表現が、前記ルートにおける方向転換のたびに表示される、請求項１から１１のいずれかに記載の方法。
【請求項１３】
装置の処理手段に実行されることにより、請求項１から１２のいずれかに記載の方法を前記装置に実行させるためのプログラム命令を含む、コンピュータ・プログラム。
【請求項１４】
処理手段と、プログラム命令を格納する記憶手段とを備える装置であって、前記プログラム命令は、前記処理手段に実行されることにより、前記装置に請求項１から１２のいずれかに記載の方法を実行させるように構成される、装置。
【請求項１５】
第１の地理的位置から第２の地理的位置までのルートを取得する手段と；
前記ルートに沿って少なくとも１つのＰＯＩの画像表現を表示する手段と；
前記少なくとも１つのＰＯＩの識別表示を表示する手段と；
前記第１の地理的位置から前記第２の地理的位置まで前記ルートをたどることを可能にする指示を提供する手段と；
を備え、前記少なくとも１つのＰＯＩの前記画像表現は、前記少なくとも１つのＰＯＩの前記画像表現に一致する前記ＰＯＩをユーザが認識することを可能にするよう構成され、前記指示は前記少なくとも１つのＰＯＩを参照する、装置。
【請求項１６】
携帯型装置である、請求項１４または１５に記載の装置。
【国際調査報告】
2015503740.tif 000013
2015503740.tif 000014
2015503740.tif 000015